(57)【要約】【課題】被取付部材への補機の配置スペースを小さくする。【解決手段】リテーナ２０は、係合爪２４が取付穴９６を通るように、パネル９７の本体部１１取付側と反対側からパネル９７に取り付けられる。リテーナ２０は、鍔部２３と係合爪２４とが取付穴９６の両開口周縁部を挟み込むため、パネル９７に係止固定される。本体部１１のリテーナ嵌合部１５をリテーナ２０の嵌合穴２２に嵌合すると、リテーナ２０の係合突起２１と本体部１１の係合片１９とが係合し、本体部１１がリテーナ２０に係止固定される。これにより、センサ１がパネル９７に取付固定される。【選択図】　図３
2004128066.tif 000002
【特許請求の範囲】
【請求項１】
複数の補機が絶縁材料に覆われて平面状に並設されたケーブルに直結された補機の被取付部材への取付構造であって、
前記被取付部材は、前記補機を取り付けるための取付穴を備え、
前記補機は、
電子部品を実装し所定の配線パターンが形成された基板、及びこの基板の前記配線パターンと接続されると共に前記ケーブルの各導体のうち、少なくとも一の導体と接続される接続端子を備え、先端が前記取付穴に嵌合可能な本体部と、
この本体部の先端に装着されて外周部が前記被取付部材の取付穴に嵌合するリテーナと、
前記本体部の前記接続端子と前記ケーブルの導体との接続部を封止するモールド部と
を備え、
前記被取付部材の取付穴に前記補機の本体部取付側と反対側から前記リテーナが取り付けられ、取り付けられた前記リテーナに前記補機の本体部取付側から前記補機の本体部が取り付けられて前記補機が前記被取付部材に取付固定されている
ことを特徴とする補機の取付構造。
【請求項２】
前記リテーナは、前記取付穴の前記補機の本体部取付側と反対側の開口周縁部に係合する鍔部と、前記取付穴の前記補機の本体部取付側の開口周縁部に係合する突起部と、前記本体部に係合する係合突起とを備えてなることを特徴とする請求項１記載の取付構造。
【請求項３】
前記リテーナは、前記取付穴の前記補機の本体部取付側と反対側の開口周縁部に係合する鍔部と、前記本体部に係合する係合突起とを備え、
前記リテーナの鍔部とこのリテーナに取り付けられた前記本体部の端部とで前記被取付部材の取付穴の両開口周縁部を挟み込んだ状態で前記補機が前記被取付部材に取付固定されていることを特徴とする請求項１記載の取付構造。
【発明の詳細な説明】
【０００１】
【発明の属する技術分野】
この発明は、自動車等に搭載されるセンサなどの電装部品からなる補機に関し、特に補機が取り付けられる被取付部材への補機の配置スペースを小さくすることができる補機の取付構造に関する。
【０００２】
【従来の技術】
図７に示すように、従来より、自動車等に搭載されるセンサなどの補機１００は、内部に図示しないセンサ基板などを収容した本体部１０１のコネクタ嵌合部１０２に、ハーネスのケーブル１１２と接続された接続端子を収容したコネクタ１１１を取り付けることにより電気的接続がなされている。このような補機１００には、その配設場所によっては高い防水性が求められるため、シリコングリース等の封止材が本体部１０１に注入され、その注入部分をカバー１０７等で覆うことにより完全な防水処理が施されている。また、コネクタ１１１とコネクタ嵌合部１０２との接続部分にもシール材等により防水処理がなされている。そして、通常、このような構造の補機１００は、例えばパネル等の被取付部材１２０に取付クリップなどの取付固定部材１２１を用いて取付固定されている（例えば、特許文献１参照。）。
【０００３】
【特許文献１】
特開平５−３４６４６１号公報（第２−３頁、第１−４図）
【０００４】
しかしながら、上記構造の補機１００では、本体部１０１とケーブル１１２との接続で、コネクタ１１１が必要となるため、図７中矢印ｈ１方向に十分な接続スペースを確保する必要があると共にこの接続スペースと同程度の補機１００の配置スペースを確保する必要がある。また、被取付部材１２０に取付固定部材１２１を介して取付固定しているため、図７中矢印ｈ２方向に取付固定部材１２１の本体部１０１への挿抜スペースが必要となる。このため、全体的に補機１００配置スペースが大きくなってしまう。
【０００５】
この発明は、このような事情を考慮してなされたもので、補機が取り付けられる被取付部材への補機の配置スペースを小さくすることができる補機の取付構造を提供することを目的とする。
【０００６】
【課題を解決するための手段】
この発明に係る補機の取付構造は、複数の補機が絶縁材料に覆われて平面状に並設されたケーブルに直結された補機の被取付部材への取付構造であって、前記被取付部材は、前記補機を取り付けるための取付穴を備え、前記補機は、電子部品を実装し所定の配線パターンが形成された基板、及びこの基板の前記配線パターンと接続されると共に前記ケーブルの各導体のうち、少なくとも一の導体と接続される接続端子を備え、先端が前記取付穴に嵌合可能な本体部と、この本体部の先端に装着されて外周部が前記被取付部材の取付穴に嵌合するリテーナと、前記本体部の前記接続端子と前記ケーブルの導体との接続部を封止するモールド部とを備え、前記被取付部材の取付穴に前記補機の本体部取付側と反対側から前記リテーナが取り付けられ、取り付けられた前記リテーナに前記補機の本体部取付側から前記補機の本体部が取り付けられて前記補機が前記被取付部材に取付固定されていることを特徴とする。
【０００７】
この発明によれば、補機が、被取付部材に形成された取付穴に補機の本体部取付側と反対側から取り付けられたリテーナに、本体部取付側から本体部が取り付けられることにより被取付部材に取付固定されるため、被取付部材の補機の本体部取付側に従来の取付クリップのような取付固定部材の挿抜スペースを設ける必要がなくなり、全体的に補機の配置スペースを小さくすることが可能となる。
【０００８】
なお、リテーナは、取付穴の補機の本体部取付側と反対側の開口周縁部に係合する鍔部と、取付穴の補機の本体部取付側の開口周縁部に係合する突起部と、本体部に係合する係合突起とを備えてなることが好ましい。
【０００９】
また、リテーナは、取付穴の補機の本体部取付側と反対側の開口周縁部に係合する鍔部と、本体部に係合する係合突起とを備えてなることが好ましく、補機はリテーナの鍔部とこのリテーナに取り付けられた本体部の端部とで被取付部材の取付穴の両開口周縁部を挟み込んだ状態で被取付部材に取付固定されていることが好ましい。
【００１０】
【発明の実施の形態】
以下、添付の図面を参照して、この発明の好ましい実施の形態を説明する。
図１は、この発明の一実施形態に係る補機の取付構造が適用される補機の一部省略分解斜視図、図２は、この補機に接続されるケーブルの一部断面斜視図、図３は、この発明の一実施形態に係る補機の取付構造を説明するための分解斜視図、図４は、図３のＡ−Ａ´断面図、図５は、図３のＢ−Ｂ´断面図である。
【００１１】
図１に示すように、補機としてのセンサ１は、例えば樹脂成型部材からなる本体部１１と、この本体部１１の内部に収容される基板１２と、この基板１２に実装されたセンサ部１３と、この基板１２に接続された接続端子１４と、本体部１１の先端側に装着されるリテーナ２０と、本体部１１の基端側に形成される後述するモールド部（図示せず）とを備えて構成されている。本体部１１は、先端側にリテーナ２０が嵌合するリテーナ嵌合部１５と、基端側に基板１２と接続端子１４との基端側接続部１６及びこの基端側接続部１６と接続端子１４を介して反対側に位置するケーブル２の導体４と接続端子１４との端子側接続部１７を露出状態にする露出接続部１８とを備えている。また、本体部１１の一部には、リテーナ嵌合部１５にリテーナ２０が完全嵌合された際に、リテーナ２０に形成された係合突起２１と係合してリテーナ２０を本体部１１に係止固定するための係合片１９が形成されている（なお、これら係合突起２１及び係合片１９でリテーナ係合機構を構成する）。
【００１２】
一方、リテーナ２０は、本体部１１のリテーナ嵌合部１５が嵌合する嵌合穴２２と、後述する被取付部材としてのパネルに形成された取付穴の本体部１１取付側と反対側の開口周縁部に係合する鍔部２３と、取付穴の本体部１１取付側の開口周縁部に係合してリテーナ２０をパネルに取付固定するための係合爪２４とを備えて構成されている。
【００１３】
ケーブル２は、図２に示すように、例えばＣｕ又はＡｌからなる丸型導体の単線や撚り線等の線材からなる導体４ａ，４ｂ，４ｃ，４ｄ，４ｅを、ポリエチレンテレフタレート（ＰＥＴ）、ポリエチレンナフタレート（ＰＥＮ）、ポリイミド（ＰＩ）及びポリオレフィン（ＰＯ）等の絶縁樹脂からなる絶縁被覆５で覆い、各絶縁被覆５間がそれぞれ互いに絶縁被覆５と同じく絶縁樹脂からなるブリッジ部５ａにより結合されたフラットケーブル構造からなる。なお、ケーブル２は、例えば平角導体からなる導体４がラミネート又は押出しによって平面的に形成された絶縁被覆５により覆われた構造からなるいわゆるフレキシブルフラットケーブルであっても良いし、複数の導体４をハーネス状に束ねたいわゆるワイヤハーネスであっても良い。
【００１４】
センサ１の本体部１１には、ケーブル２が、一方のケーブル端末部２ａ（図５参照）が本体部１１の基端側方向に向き、ケーブル端末部２ａの近傍部分の導体４（ここでは、４ａ，４ｃ，４ｅ）が接続端子１４の基端部の圧接部１４ａに対し各導体４ａ〜４ｅの軸方向と直交する方向に接続されることにより、端子側接続部１７で接続されている。そして、ケーブル２は、図４に示すように、このように本体部１１に接続された状態で、本体部１１の側部に沿って所定範囲にわたって本体部１１の基端側から先端側まで配索されると共に、接続端子１４の圧接部１４ａへの接続方向に各導体４ａ〜４ｅの軸方向が沿うように曲げられた状態で配索されることによりセンサ１に接続されている。なお、接続端子１４は、その圧接部１４ａの先端が二股に分岐されその分岐部分で導体４を挟み込んで圧接する圧接端子である。
【００１５】
端子側接続部１７と接続端子１４を介して反対側に位置する基板側接続部１６では、接続端子１４の先端部１４ｂ（図４参照）が基板１２を貫通したうえで、例えば半田等により基板１２の回路部（図示せず）と接続されている。
【００１６】
これら基板側接続部１６及び端子側接続部１７から構成される本体部１１の露出接続部１８は、基板１２と接続端子１４との接続部分及び導体４と接続端子１４との接続部分を露出した状態としている。この露出接続部１８には、防水処理が施されていないため、センサ１の配設場所によっては不適合となる場合がある。そこで、本体部１１の基端側には、露出接続部１８を本体部１１と一体的に包含して基板側接続部１６及び端子側接続部１７を封止するモールド部９（９ａ，９ｂ）（図３参照）が形成されている。
【００１７】
このモールド部９（９ａ，９ｂ）は、ホットメルト樹脂等からなるモールド樹脂を充填した後に固めて形成されたもので、本体部１１の露出接続部１８の形状に合わせて一体的に形成されている。このように、モールド部９ａ，９ｂが本体部１１に形成されることにより、基板側接続部１６と端子側接続部１７とから構成される露出接続部１８に防水処理を施すことができると共に、端子側接続部１７におけるケーブル２の導体４と接続端子１４の圧接部１４ａとの接続状態を強固に保持することができる。
【００１８】
このように構成されたセンサ１は、具体的には図３〜図５に示すような状態で取り付けられる。まず、リテーナ２０が、係合爪２４が取付穴９６を通るように、パネル９７の本体部１１取付側と反対側からパネル９７に取り付けられる。この時点でリテーナ２０は、鍔部２３と係合爪２４とが取付穴９６の両開口周縁部を挟み込むため、パネル９７に係止固定される。次に、本体部１１のリテーナ嵌合部１５をリテーナ２０の嵌合穴２２に嵌合することで、リテーナ２０の係合突起２１と本体部１１の係合片１９とが係合し、本体部１１がリテーナ２０に係止固定される。こうしてセンサ１がパネル９７に取付固定される。このような構造により、センサ１をパネル９７に確実且つ簡単に取付固定することが可能となる。
【００１９】
なお、パネル９７へのセンサ１の取付方式として、リテーナ２０を鍔部２３と係合爪２４とで取付穴９６に係止固定する他に、図６に示すように、リテーナ２０の鍔部２３と本体部１１に形成された端部１１ａとでパネル９７の取付穴９６の両開口周縁部を挟み込んで取付固定するようにしても良い。
【００２０】
また、センサ１の本体部１１の端子側接続部１７に、ケーブル２の端末部２ａの近傍部分の導体４ではなくケーブル２の中間部分の導体４が接続されていても良い。
【００２１】
【発明の効果】
以上述べたように、この発明によれば、補機が、被取付部材に形成された取付穴に補機の本体部取付側と反対側から取り付けられたリテーナに、本体部取付側から本体部が取り付けられることにより被取付部材に取付固定されるため、被取付部材の補機の本体部取付側に従来の取付クリップのような取付固定部材の挿抜スペースを設ける必要がなくなり、全体的に補機の配置スペースを小さくすることが可能となる。
【図面の簡単な説明】
【図１】この発明の一実施形態に係る補機の取付構造が適用される補機の一部省略分解斜視図である。
【図２】同補機に接続されるケーブルの一部断面斜視図である。
【図３】この発明の一実施形態に係る補機の取付構造を説明するための分解斜視図である。
【図４】図３のＡ−Ａ´断面図である。
【図５】図３のＢ−Ｂ´断面図である。
【図６】この発明の他の実施形態に係る補機の取付構造が適用される補機の断面図である。
【図７】従来の補機の取付構造を説明するための一部を断面で示す側面図である。
【符号の説明】１…センサ、２…ケーブル、４…導体、５…絶縁被覆、９…モールド部、１１…本体部、１２…基板、１３…センサ部、１４…接続端子、１５…リテーナ嵌合部、１６…基板側接続部、１７…端子側接続部、１８…露出接続部、１９…係合片、２０…リテーナ、２１…係合突起、２２…嵌合穴、２３…鍔部、２４…係合爪。
【図１】
2004128066.tif 000003
【図２】
2004128066.tif 000004
【図３】
2004128066.tif 000005
【図４】
2004128066.tif 000006
【図５】
2004128066.tif 000007
【図６】
2004128066.tif 000008
【図７】
2004128066.tif 000009